(57)【要約】【課題】被転写材の詰りが発生した場合に、詰った被転写材を容易に取り除くことが可能な画像形成装置を提供する。【解決手段】画像形成装置は、被転写材が搬送される搬送路Ｌと、搬送路Ｌを搬送されてきた被転写材にトナー画像を形成する画像形成部４０と、被転写材を加熱する加熱回転体６１と、加熱回転体６１との間に定着ニップＮを形成して、定着ニップＮに搬入された被転写材を加圧する加圧回転体６２と、定着ニップのニップ圧を調整するニップ圧調整部とを有し、画像形成部４０よりも被転写材の搬送方向の下流側に配置される定着部６０と、搬送路Ｌを搬送される被転写材の詰りを検知する検知部と、検知部により被転写材の詰りを検知した場合に、被転写材の詰り位置に応じて、定着ニップＮの圧力を変更するようニップ圧調整部を制御する制御部とを備える。【選択図】図１
2011227137.tif 000002
【特許請求の範囲】
【請求項１】
被転写材が搬送される搬送路と、
前記搬送路を搬送されてきた被転写材にトナー画像を形成する画像形成部と、
被転写材を加熱する加熱回転体と、前記加熱回転体との間に定着ニップを形成して、前記定着ニップに搬入された被転写材を加圧する加圧回転体と、前記定着ニップのニップ圧を調整するニップ圧調整部とを有し、前記画像形成部よりも被転写材の搬送方向の下流側に配置される定着部と、
前記搬送路を搬送される被転写材の詰りを検知する検知部と、
前記検知部により被転写材の詰りを検知した場合に、被転写材の詰り位置に応じて、前記定着ニップの圧力を変更するよう前記ニップ圧調整部を制御する制御部と、
を備える画像形成装置。
【請求項２】
前記画像形成部よりも被転写材の搬送方向の上流側に配置され、前記画像形成部へ被転写材を供給するタイミングを調整するタイミング調整部と、
前記定着部よりも被転写材の搬送方向の下流側に配置される被転写材排出部と、をさらに備え、
前記検知部は、前記タイミング調整部に配置される第１検知センサと、前記定着部に配置される第２検知センサと、前記被転写材排出部に配置される第３検知センサとを備える
請求項１に記載の画像形成装置。
【請求項３】
前記制御部は、前記第１検知センサ及び前記第２検知センサのそれぞれにおいて被転写材の詰りを検知する場合、又は前記第２検知センサ及び前記第３検知センサのそれぞれにおいて被転写材の詰りを検知する場合に、前記定着ニップの圧力を、被転写材の詰りを検知しない場合の第１圧力よりも小さい第２圧力にするよう前記ニップ圧調整部を制御する
請求項２に記載の画像形成装置。
【請求項４】
前記制御部は、前記第２検知センサのみにおいて被転写材の詰りを検知する場合に、前記定着ニップの圧力を前記第２圧力よりも小さい第３圧力になるよう前記ニップ圧調整部を制御する
請求項３に記載の画像形成装置。
【請求項５】
前記定着部を冷却する冷却部を備え、
前記制御部は、前記第２検知センサにより被転写材の詰りを検知した場合に、前記定着部を冷却するよう冷却部を制御する
請求項２から４のいずれか１項に記載の画像形成装置。
【請求項６】
前記搬送路と、前記画像形成部と、前記定着部と、前記検知部と、前記制御部とを内部に収容する筐体と、
開閉可能になるよう前記筐体に配置されたカバー部と、
前記カバー部が閉状態となることを維持させるロック部と、をさらに備え、
前記制御部は、前記定着ニップの圧力を変更している間、前記カバー部が閉状態となることを維持させるよう前記ロック部を制御する
請求項１から５のいずれか１項に記載の画像形成装置。
【発明の詳細な説明】
【技術分野】
【０００１】
本発明は、用紙等の被転写材に画像を形成する画像形成装置に関する。
【背景技術】
【０００２】
画像形成装置には、トナー画像を用紙（被転写材）に形成する画像形成部と、用紙に形成されたトナー画像を定着させる定着部とを備えるものがある。定着部は、加熱を行う加熱回転体と、加熱回転体に圧接する加圧回転体とを備える。このような画像形成装置には、用紙詰り（ＪＡＭ）が発生した場合に、加圧回転体により加熱回転体に加える圧力を弱めるものがある（特許文献１参照）。
【先行技術文献】
【特許文献】
【０００３】
【特許文献１】特開２００９−１９３０２０号公報
【発明の概要】
【発明が解決しようとする課題】
【０００４】
しかしながら、従来の画像形成装置には、用紙が詰った場所に応じて、加圧回転体により加熱回転体に加える圧力を変更するものはなかった。
【０００５】
本発明は、被転写材の詰りが発生した場合に応じて、詰った被転写材を容易に取り除くことが可能な画像形成装置を提供することを目的とする。
【課題を解決するための手段】
【０００６】
本発明は、被転写材が搬送される搬送路と、前記搬送路を搬送されてきた被転写材にトナー画像を形成する画像形成部と、被転写材を加熱する加熱回転体と、前記加熱回転体との間に定着ニップを形成して、前記定着ニップに搬入された被転写材を加圧する加圧回転体と、前記定着ニップのニップ圧を調整するニップ圧調整部とを有し、前記画像形成部よりも被転写材の搬送方向の下流側に配置される定着部と、前記搬送路を搬送される被転写材の詰りを検知する検知部と、前記検知部により被転写材の詰りを検知した場合に、被転写材の詰り位置に応じて、前記定着ニップの圧力を変更するよう前記ニップ圧調整部を制御する制御部と、を備える画像形成装置に関する。
【０００７】
また、前記画像形成装置は、前記画像形成部よりも被転写材の搬送方向の上流側に配置され、前記画像形成部へ被転写材を供給するタイミングを調整するタイミング調整部と、前記定着部よりも被転写材の搬送方向の下流側に配置される被転写材排出部と、をさらに備え、前記検知部は、前記タイミング調整部に配置される第１検知センサと、前記定着部に配置される第２検知センサと、前記被転写材排出部に配置される第３検知センサとを備えることが好ましい。
【０００８】
また、前記制御部は、前記第１検知センサ及び前記第２検知センサのそれぞれにおいて被転写材の詰りを検知する場合、又は前記第２検知センサ及び前記第３検知センサのそれぞれにおいて被転写材の詰りを検知する場合に、前記定着ニップの圧力を、被転写材の詰りを検知しない場合の第１圧力よりも小さい第２圧力にするよう前記ニップ圧調整部を制御することが好ましい。
【０００９】
また、前記制御部は、前記第２検知センサのみにおいて被転写材の詰りを検知する場合に、前記定着ニップの圧力を前記第２圧力よりも小さい第３圧力になるよう前記ニップ圧調整部を制御することが好ましい。
【００１０】
また、前記画像形成装置は、前記定着部を冷却する冷却部を備え、前記制御部は、前記第２検知センサにより被転写材の詰りを検知した場合に、前記定着部を冷却するよう冷却部を制御することが好ましい。
【００１１】
また、前記画像形成装置は、前記搬送路と、前記画像形成部と、前記定着部と、前記検知部と、前記制御部とを内部に収容する筐体と、開閉可能になるよう前記筐体に配置されたカバー部と、前記カバー部が閉状態となることを維持させるロック部と、をさらに備え、前記制御部は、前記定着ニップの圧力を変更している間、前記カバー部が閉状態となることを維持させるよう前記ロック部を制御することが好ましい。
【発明の効果】
【００１２】
本発明によれば、被転写材の詰りが発生した場合に、詰った被転写材を容易に取り除くことができる。
【図面の簡単な説明】
【００１３】
【図１】画像形成装置の一実施形態に係るコピー機の全体構成を説明するための図である。
【図２】コピー機の機能構成を示すブロック図である。
【図３】定着部の詳細について説明するための図である。
【図４】変動量検出部について説明するための図である。
【発明を実施するための形態】
【００１４】
以下、図面を参照して、本発明の画像形成装置の一実施形態に係るコピー機について説明する。まず、コピー機１の全体構成について説明する。図１は、画像形成装置の一実施形態に係るコピー機１の全体構成を説明するための図である。
【００１５】
コピー機１は、原稿搬送部１０と、原稿読取部２０と、用紙搬送部３０と、画像形成部４０と、定着部６０とを備える。
原稿搬送部１０は、ＡＤＦ（Ａｕｔｏ  Ｄｏｃｕｍｅｎｔ  Ｆｅｅｄｅｒ）であり、原稿載置部１１と、第１送りローラ１２と、ガイド１３と、タイミングローラ対１４と、原稿排出部１５とを備える。第１送りローラ１２は、原稿載置部１１に載置された原稿Ｇを１枚ずつ順にタイミングローラ対１４に供給する。タイミングローラ対１４は、原稿読取部２０が原稿Ｇを読み取るタイミングと、原稿Ｇが原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１６】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇを読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇを読み取る場合に用いられる。第２読取面２２ａは、原稿Ｇが載置される第２コンタクトガラス２２の上面に沿って形成され、原稿Ｇを読み取る面となる。
【００１７】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１８】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、主走査方向（副走査方向Ｘに直交する方向）に沿って並べられた複数の撮像素子を備える。撮像素子は、入射された光を電気信号に変換することにより、結像された光像に基づいて画像データを得るための素子であり、例えば、電荷結合素子（ＣＣＤ）等である。
【００１９】
用紙搬送部３０は、搬送路Ｌと、第２送りローラ３１と、第３送りローラ３２と、タイミング調整部３８と、用紙排出部（被転写材排出部）３４とを備える。搬送路Ｌは、用紙Ｔが搬送される。第２送りローラ３１は、給紙カセット３６に収容される用紙Ｔ（被転写材）を搬送路Ｌに供給する。第３送りローラ３２は、手差しトレイ３７に載置される用紙Ｔ（被転写材）を搬送路Ｌに供給する。タイミング調整部３８は、画像形成部４０よりも用紙の搬送方向の上流側に配置され、画像形成部４０へ被転写材を供給するタイミングを調整する。具体的には、タイミング調整部３８は、レジストローラ対３３を備える。レジストローラ対３３は、後述する転写部５０にトナー画像が形成されるタイミングと、転写部５０に用紙Ｔを供給するタイミングとを合わせるために、用紙Ｔの搬送又は用紙Ｔの搬送停止を行う。また、レジストローラ対３３（タイミング調整部３８）は、用紙Ｔのスキュー（斜め給紙）補正を行う。用紙排出部３４は、定着部６０よりも用紙Ｔの搬送方向の下流側に配置され、トナー画像が定着された用紙Ｔをコピー機本体２の外部に排出する。用紙排出部３４におけるコピー機本体２の外側には、排紙集積部３５が形成される。排紙集積部３５には、用紙排出部３４から排出された用紙Ｔが積層して集積される。
【００２０】
画像形成部４０は、感光体ドラム４１と、帯電部４２と、レーザスキャナユニット４３と、現像器４４と、クリーニング部４５と、トナーカートリッジ４６と、１次転写ローラ４７と、中間転写ベルト４８と、対向ローラ４９と、転写部５０とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザスキャナユニット４３と、現像器４４と、クリーニング部４５とが配置される。帯電部４２は、感光体ドラム４１の表面を帯電させる。レーザスキャナユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２１】
１次転写ローラ４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラ４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラ４９は、環状形状の中間転写ベルト４８の内側に配置され、中間転写ベルト４８を図１に示す矢印Ａ方向に進行させるための駆動ローラである。
【００２２】
転写部５０は、２次転写ローラ５１を備える。２次転写ローラ５１は、中間転写ベルト４８における対向ローラ４９とは反対側に配置され、中間転写ベルト４８の一部分を対向ローラ４９との間に挟みこむ。さらに、２次転写ローラ５１は、中間転写ベルト４８に１次転写されたトナー画像を用紙Ｔに２次転写させる。
【００２３】
定着部６０は、画像形成部４０よりも用紙Ｔの搬送方向の下流側に配置される。その定着部６０は、加熱回転体６１と、加圧回転体６２とを備える。加熱回転体６１は、用紙Ｔを加熱する。加圧回転体６２は、加熱回転体６１との間に定着ニップＮを形成して、定着ニップＮに搬入された用紙Ｔを加圧する。定着ニップＮに搬入された用紙Ｔは、加熱回転体６１により加熱され、さらに加圧回転体６２により加圧されることにより、表面に付着するトナーが溶融及び加圧され、トナーが定着される。定着部６０の詳細については後述する。
【００２４】
次に、コピー機１の機能構成について説明する。図２は、コピー機１の機能構成を示すブロック図である。
コピー機１は、上述した構成要素（原稿搬送部１０、原稿読取部２０、用紙搬送部３０、画像形成部４０、転写部５０及び定着部６０）を備える。なお、図１を用いて説明した構成要素については、その説明を省略する。さらに、コピー機１は、上述した構成要素に加えて、操作部７０と、記憶部８０と、制御部９０とを備える。
【００２５】
操作部７０は、テンキー（図示せず）、タッチパネル（図示せず）及びスタートキー（図示せず）等を備える。テンキーは、印刷部数等の数字を入力するために操作される。タッチパネルは、種々の機能（一例として、印刷倍率の設定機能や、複数のページを１枚の用紙Ｔに割り付ける機能（２ｉｎ１等））が割り当てられた複数のキー等を表示する。タッチパネルに表示されたキーは、種々の機能のうちのいずれかをコピー機１に実行させるために操作（タッチ）される。スタートキーは、印刷を実行させるために操作される。操作部７０は、いずれかのキーが操作されることにより、このキーが操作されたことを表す信号を制御部９０に供給する。
【００２６】
記憶部８０は、ハードディスク又は半導体メモリ等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。
【００２７】
制御部９０は、原稿搬送部１０、原稿読取部２０及び操作部７０等を制御する。
原稿載置部１１に載置された原稿Ｇをコピーする場合を示して、制御部９０の機能（動作）の一例を説明する。まず、制御部９０は、操作部７０を構成する上記のスタートキーが操作されたことを示す信号が供給されることにより、スタートキーが操作されたことを検知する。次に、制御部９０は、原稿搬送部１０の第１送りローラ１２を駆動させて原稿Ｇを第１読取面２１ａに供給する。制御部９０は、原稿読取部２０により第１読取面２１ａに供給された原稿Ｇに基づく画像データを生成させ、その画像データを記憶部８０に一時記憶する。制御部９０は、記憶部８０に一時記憶された画像データに基づいて用紙Ｔにトナー画像を形成するために、用紙搬送部３０と、画像形成部４０と、転写部５０と、定着部６０とをそれぞれ制御する。すなわち、制御部９０は、第２送りローラ３１又は第３送りローラ３２を駆動させて、用紙Ｔを転写部５０に搬送させる。また、制御部９０は、画像データに基づいて色毎に生成された色画像データをそれぞれレーザスキャナユニット４３に供給し、レーザスキャナユニット４３から照射されるレーザ光により感光体ドラム４１に静電潜像を形成させる。制御部９０は、現像器４４により感光体ドラム４１にトナー画像を形成させ、このトナー画像を中間転写ベルト４８に１次転写させる。制御部９０は、中間転写ベルト４８に１次転写されたトナー画像を２次転写ローラ５１によって用紙Ｔに２次転写させる。制御部９０は、加熱回転体６１が所定の温度に加熱されるよう制御して、その加熱回転体６１により用紙Ｔに２次転写されたトナー画像のトナーを溶融させると共に、加熱回転体６１に圧接される加圧回転体６２よりトナーを用紙Ｔに定着させる。さらに、制御部９０は、トナー画像が定着された用紙Ｔを用紙搬送部３０により用紙排出部３４から排出させる。
【００２８】
次に、定着部６０の詳細について説明する。図３は、定着部６０の詳細について説明するための図である。図４は、変動量検出部６５３について説明するための図である。
定着部６０は、図３に示すように、上述した加熱回転体６１と加圧回転体６２とを備えると共に、レバー６３と、加圧機構６４と、ニップ圧調整部としての圧調整機構６５とを備える。
【００２９】
レバー６３は、加圧回転体６２の両端部のそれぞれに配置される。なお、図３には、２つのレバー６３のうち一方のレバーのみを示す。レバー６３は、中央部付近において加圧回転体６２を回転可能に支持する。また、レバー６３は、一方の端部６３１側に配置された支点部６３２を支点として回動可能とされ、他方の端部６３３側が押し下げられた場合に、加圧回転体６２を加熱回転体６１から離す方向に移動させる。加圧機構６４は、加圧回転体６２により加熱回転体６１を加圧するために、レバー６３を付勢する。加圧機構６４は、例えば、圧縮バネから構成される。
【００３０】
圧調整機構６５は、レバー６３の他方の端部６３３側に配置される。圧調整機構６５は、駆動部としてのモータ６５１によって回転されるカム６５２を備え、カム６５２が回転することにより、加圧機構６４によるレバー６３への付勢力に抗しつつ、レバー６３の他方の端部６３３を押し下げる。これにより、加圧回転体６２は、定着を行う状態（図３（Ａ）参照）から、加熱回転体６１から離れる方向に移動する（図３（Ｂ）、図３（Ｃ）参照）。これにより、定着ニップＮのニップ圧が調整される。
【００３１】
また、圧調整機構６５には、図４に一例を示す定着圧力の変動量検出部６５３が設けられている。変動量検出部６５３は、カム６５２の回転軸に配置された複数の減光部を備える。図４に示す場合、３つの減光部（第１減光部６５４、第２減光部６５５及び第３減光部６５６）がカム６５２（図４には図示せず）に設けられており、それぞれの減光部６５４，６５５，６５６の光の透過量は異なっている。減光部６５４，６５５，６５６は、例えば、光学フィルタであればよい。また、変動量検出部６５３は、発光素子６５７と、発光素子６５７から出射され、且つ、いずれか１つの減光部を透過した光を受光する受光素子６５８とを備える。このような変動量検出部６５３は、カム６５２の回転に伴って、第１減光部６５４、第２減光部６５５及び第３減光部６５６が設けられている軸が矢印Ｂ方向に回転することにより発光素子６５７と受光素子６５８との間に配置される減光部が変わるため、受光素子６５８によって受光される受光量が変わる。
【００３２】
例えば、加熱回転体６１と加圧回転体６２とが図３（Ａ）に示すように接触する状態の場合、発光素子６５７と受光素子６５８との間には、光の透過量が最も多い第１減光部６５４が配置される。これにより、受光素子６５８は、光の第１の透過量を検出する。制御部９０は、受光素子６５８が第１の透過量を検出したことに基づいて、定着を行うために、定着ニップＮの圧力が第１圧力になっていると判断する。
【００３３】
また、加熱回転体６１と加圧回転体６２とが図３（Ｂ）に示すように接触する状態の場合、発光素子６５７と受光素子６５８との間には、カム６５２の回転に伴って、第１減光部６５４よりも光の透過量が少なく、第３減光部６５６よりも光の透過量が多い第２減光部６５５が配置される。これにより、受光素子６５８は、光の第２の透過量を検出する。制御部９０は、受光素子６５８が第２の透過量を検出したことに基づいて、定着ニップＮの圧力が第１圧力よりも弱い第２圧力になっていると判断する。
【００３４】
また、加熱回転体６１と加圧回転体６２とが図３（Ｃ）に示すように接触する状態の場合、発光素子６５７と受光素子６５８との間には、カム６５２の回転に伴って、光の透過量が最も少ない第３減光部６５６が配置される。これにより、受光素子６５８は、光の第３の透過量を検出する。制御部９０は、受光素子６５８が第３の透過量を検出したことに基づいて、定着ニップＮが第２圧力よりも弱い第３圧力になっていると判断する。
【００３５】
このような定着部６０を備えるコピー機１は、検知部をさらに備える。検知部は、搬送路Ｌを搬送される用紙Ｔの詰りを検知する。その検知部は、タイミング調整部３８に配置される第１検知センサ３０１と、定着部６０に配置される第２検知センサ３０２と、用紙排出部３４に配置される第３検知センサ３０３とを備える。第１検知センサ３０１、第２検知センサ３０２及び第３検知センサ３０３は、搬送路Ｌを搬送されている用紙Ｔを検知するセンサであり、具体的な一例としては、接触型アームセンサや非接触反射型センサ等から構成される。接触型アームセンサは、搬送路Ｌに突出して設けられたアームを備え、用紙Ｔがアームに接触した場合に用紙Ｔを検知するセンサである。非接触反射型センサは、発光素子と、この発光素子から出射され、その後に搬送路Ｌ又は用紙Ｔによって反射された光を受光する受光素子とを備える。非接触反射型センサは、搬送路Ｌによって反射された光と、非接触反射型センサの下方を通過する用紙Ｔによって反射された光との強度等の違いを利用して、用紙Ｔを検知するセンサである。各検知センサ３０１，３０２，３０３は、用紙Ｔを検知した場合に検知信号を制御部９０に供給する。
【００３６】
制御部９０は、検知部（第１検知センサ３０１、第２検知センサ３０２又は第３検知センサ３０３）により用紙Ｔの詰りを検知した場合に、用紙Ｔの詰り位置に応じて、定着ニップＮの圧力を変更するよう圧調整機構６５を制御する。制御部９０は、レジストローラ対３３から搬送路Ｌの下流側に用紙Ｔの搬送を開始してから所定時間以内に第３検知センサ３０３により用紙Ｔが検知されない場合には、レジストローラ対３３から用紙排出部３４までの間のいずれかの箇所において用紙Ｔの詰りが発生したと判断する。また、制御部９０は、第１検知センサ３０１、第２検知センサ３０２及び第３検知センサ３０３のうち少なくとも１つの検知センサから検知信号が供給され続ける場合には、検知信号を供給し続ける検知センサが配置された箇所において用紙Ｔの詰りが発生したと判断する。
【００３７】
具体的には、制御部９０は、第１検知センサ３０１及び第２検知センサ３０２のそれぞれにおいて用紙Ｔの詰りを検知する場合、又は第２検知センサ３０２及び第３検知センサ３０３のそれぞれにおいて用紙Ｔの詰りを検知する場合に、定着ニップＮの圧力を、用紙Ｔの詰りを検知しない場合の第１圧力よりも小さい第２圧力にするよう圧調整機構６５を制御する。
【００３８】
定着部６０からレジストローラ対３３にかけて用紙Ｔの詰りが発生する場合には、第１検知センサ３０１及び第２検知センサ３０２のそれぞれは、用紙Ｔの詰りを検知する。また、用紙排出部３４から定着部６０にかけて用紙Ｔの詰りが発生する場合には、第２検知センサ３０２及び第３検知センサ３０３のそれぞれは、用紙Ｔの詰りを検知する。これらの場合、用紙Ｔは、加熱回転体６１及び加圧回転体６２により挟まれている（加圧回転体６２により加圧されている）ので、定着ニップＮから取り出しにくい。このため、制御部９０は、モータ６５１を駆動することによりカム６５２を回転させ、そのカム６５２によりアームの他方の端部６３３を押し下げて、加圧回転体６２を図３（Ａ）に示す位置から図３（Ｂ）に示す位置まで移動させる。
【００３９】
具体的には、制御部９０は、発光素子６５７と受光素子６５８との間に第２減光部６５５が配置されることにより、受光素子６５８によって第２の透過量が検出されるまで、カム６５２を回転させる。受光素子６５８により第２の透過量が検出された場合に、カム６５２の回転を停止させると、加圧回転体６２により加熱回転体６１に加える圧力（定着ニップＮの圧力）は、第２圧力となる。このように、定着ニップＮの圧力を、定着を行う場合の第１圧力よりも小さい第２圧力に変更することにより、ユーザは、定着ニップＮから用紙Ｔを取り出しやすくなる。
【００４０】
また、制御部９０は、第２検知センサ３０２のみにおいて用紙Ｔの詰りを検知する場合に、定着ニップＮの圧力を第２圧力よりも小さい第３圧力になるよう圧調整機構６５を制御する。例えば、定着部６０において用紙Ｔが蛇腹状になって詰った場合には、第２検知センサ３０２のみが用紙Ｔの詰りを検知する。この場合、定着部６０からレジストローラ対３３にかけて用紙Ｔの詰りが発生する場合、又は用紙排出部３４から定着部６０にかけて用紙Ｔの詰りが発生する場合に比べて、定着ニップＮから用紙Ｔを取り出しにくい。このため、制御部９０は、モータ６５１を駆動することによりカム６５２を回転させ、そのカム６５２によりアームの他方の端部６３３を押し下げて、加圧回転体６２を図３（Ｃ）に示す位置まで移動させる。
【００４１】
具体的には、制御部９０は、発光素子６５７と受光素子６５８との間に第３減光部６５６が配置されることにより、受光素子６５８によって第３の透過量が検出されるまで、カム６５２を回転させる。受光素子６５８により第３の透過量が検出された場合に、カム６５２の回転を停止させると、加圧回転体６２により加熱回転体６１に加える圧力（定着ニップＮの圧力）は、第３圧力となる。このように、定着ニップＮの圧力を第２圧力よりも小さい第３圧力に変更することにより、ユーザは、定着ニップＮから用紙Ｔを取り出しやすくなる。
【００４２】
なお、コピー機１の電源がオンにされている場合（定着ニップＮの圧力を変更している途中でコピー機１の電源がオフにされ、その後電源がオンにされた場合）に、第１検知センサ３０１、第２検知センサ３０２及び第３検知センサ３０３のいずれかにおいて用紙Ｔの詰りを検知するときには、制御部９０は、定着ニップＮの圧力を変更する（加圧回転体６２を加熱回転体６１から遠ざける方向に移動させる）よう圧調整機構６５を制御すればよい。
【００４３】
また、コピー機１は、定着部６０を冷却する冷却部１００をさらに備える。冷却部１００は、例えば、ファン等の空冷装置であればよい。
この場合、制御部９０は、第２検知センサ３０２により用紙Ｔの詰りを検知した場合に、定着部６０を冷却するよう冷却部１００を制御する。すなわち、制御部９０は、定着部６０からレジストローラ対３３にかけて用紙Ｔの詰りが発生する場合、用紙排出部３４から定着部６０にかけて用紙Ｔの詰りが発生する場合、又は、例えば、定着部６０において用紙Ｔが蛇腹状になって詰った場合に、定着部６０を冷却するよう冷却部１００を制御する。特に、定着部６０において用紙Ｔが蛇腹状になって詰った場合には、紙詰まりを解消する際に、ユーザの指が加熱回転体６１に接触するおそれがある。コピー機１は、第２検知センサ３０２により用紙Ｔの詰りを検知した場合に、冷却部１００により定着部６０を冷却するので、ユーザがやけどをする危険性を回避することが可能となる。
【００４４】
また、コピー機１は、筐体３と、カバー部３ａと、ロック部３ｂとをさらに備える。筐体３は、画像形成部４０、定着部６０、検知部（第１検知センサ３０１、第２検知センサ３０２及び第３検知センサ３０３）及び制御部９０等を内部に収容する。カバー部３ａは、開閉可能になるよう筐体３に配置される。カバー部３ａが開状態にされた場合には、ユーザは、レジストローラ対３３から用紙排出部３４までの間において詰った用紙Ｔを取り除くことが可能になる。ロック部３ｂは、カバー部３ａが閉状態となることを維持させる。すなわち、ロック部３ｂは、カバー部３ａが開状態にならないように、カバー部３ａをロックする。ロック部３ｂは、例えば、ソレノイドを用いて構成されていてもよい。この場合、ロック部３ｂは、制御部９０の制御により電源がオンされている場合にカバー部３ａをロックし、定着ニップＮの圧力を弱めている際にコピー機１の電源がオフにされた場合に、カバー部３ａのロックを解除するように構成される。
【００４５】
制御部９０は、定着ニップＮの圧力を変更している間、カバー部３ａが閉状態となることを維持させるようロック部３ｂを制御する。すなわち、定着ニップＮの圧力を変更するために、加圧回転体６２を加熱回転体６１から遠ざける方向に移動させている際（カム６５２を回転させるモータ６５１が駆動している際）には、制御部９０は、カバー部３ａが開状態にならないように、ロック部３ｂによりカバー部３ａをロックする。これにより、定着ニップＮの圧力を変更している際にカバー部３ａが開けられた場合に、ユーザの安全を確保するために、定着ニップＮの圧力の変更を停止する（加圧回転体６２の移動を停止させる）必要がない。
なお、コピー機１は、定着ニップＮの圧力を変更している際に、定着ニップＮの圧力を変更している旨を上述したタッチパネルに表示させることにより、ユーザに対して警告を与えてもよい。
【００４６】
以上説明したように、本実施形態のコピー機１によれば、以下の効果が奏される。
すなわち、本実施形態のコピー機１は、検知部（第１検知センサ３０１、第２検知センサ３０２又は第３検知センサ３０３）により用紙Ｔの詰りを検知した場合に、用紙Ｔの詰り位置に応じて、定着ニップＮの圧力を変更するよう圧調整機構６５を制御するので、詰った用紙Ｔを容易に取り除くことができる。
【００４７】
また、コピー機１は、タイミング調整部３８に配置される第１検知センサ３０１と、定着部６０に配置される第２検知センサ３０２と、用紙排出部３４に配置される第３検知センサ３０３とを備えるので、用紙Ｔの詰りを検知したセンサが配置される位置に応じて、定着ニップＮの圧力を変更することができる。
【００４８】
また、コピー機１は、第１検知センサ３０１及び第２検知センサ３０２のそれぞれにおいて用紙Ｔの詰りを検知する場合、又は第２検知センサ３０２及び第３検知センサ３０３のそれぞれにおいて用紙Ｔの詰りを検知する場合に、定着ニップＮの圧力を、用紙Ｔの詰りを検知しない場合の第１圧力よりも小さい第２圧力に変更するので、用紙Ｔの詰り位置に応じて、定着ニップＮの圧力を変更することができる。
【００４９】
また、コピー機１は、第２検知センサ３０２のみにおいて用紙Ｔの詰りを検知する場合に、定着ニップＮの圧力を第２圧力よりも小さい第３圧力に変更するので、用紙Ｔの詰り位置に応じて、定着ニップＮの圧力を変更することができる。
【００５０】
また、コピー機１は、第２検知センサ３０２により用紙Ｔの詰りを検知した場合に、冷却部１００により定着部６０を冷却するので、ユーザがやけどをする危険性を低くすることができ、さらに、用紙Ｔの詰りが解消しやすくなる。
【００５１】
また、コピー機１は、定着ニップＮの圧力を変更している際に、ロック部３ｂによりカバー部３ａが閉状態となることを維持させるので、定着ニップＮの圧力変更が途中で止まることを防止できる。
【００５２】
なお、本発明は、上述した実施形態に限定されることはなく、種々の形態で実施することができる。
本実施形態のコピー機１は、カラーコピー機であるが、この形態に限定されることはなく、モノクロコピー機であってもよい。
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
【００５３】
また、本発明の画像形成装置は、上述したコピー機１に限定されることはない。すなわち、本発明の画像形成装置は、コピー機能、ファクシミリ機能、プリンタ機能及びスキャナ機能を備える複合機であってもよく、ファクシミリやプリンタであってもよい。
また、本発明の画像形成装置によってトナー画像が定着される被転写材は用紙Ｔに限定されることはなく、例えば、ＯＨＰ（オーバヘッドプロジェクタ）シート等のフィルムシートであってもよい。
【符号の説明】
【００５４】
１…コピー機（画像形成装置）、３…筐体、３ａ…カバー部、３ｂ…ロック部、３４…用紙排出部（被転写材排出部）、３８…タイミング調整部、４０…画像形成部、６０…定着部、６１…加熱回転体、６２…加圧回転体、９０…制御部、１００…冷却部、３０１…第１検知センサ（検知部）、３０２…第２検知センサ（検知部）、３０３…第３検知センサ（検知部）、Ｌ…搬送路、Ｎ…定着ニップ
【図１】
2011227137.tif 000003
【図２】
2011227137.tif 000004
【図３】
2011227137.tif 000005
【図４】
2011227137.tif 000006